(57)【特許請求の範囲】
【請求項１】
ベース側部材に対して回転可能に配設された回転部材を回転留めするための車両用シートの回転留め装置であって、
前記回転部材と回転方向に一体的とされた可動体と、
該可動体との係合によって該可動体を回転留めする係合体と、
該係合体を前記可動体と係合させる作動方向に附勢するバネ部材とを有し、
前記係合体は前記ベース側部材に回転可能に連結され、前記バネ部材は一端が前記ベース側部材に固定され他端が前記係合体に固定され該係合体の回転移動に伴う他端の配置変動によって前記係合体の回転附勢方向が正逆双方向に切り換えられるようになっており、該係合体は前記回転部材が第１の回転位置にある時に附勢によって前記可動体と係合し前記回転部材の第２の回転位置に向けての回転移動を阻止するようになっており、該回転部材を第１の回転位置から逆方向に回転させることで前記可動体に形成された凸部が前記係合体を押し回して前記バネ部材の回転附勢方向を逆転させ、前記係合体が前記可動体との係合から外れることで前記回転部材の第２の回転位置への回転移動が許容されるようになっており、
前記係合体は、前記回転部材を第２の回転位置に回転させる動きに伴って前記可動体の前記凸部に押圧されて回転し前記バネ部材による回転附勢方向が前記可動体と係合する作動方向に切り換えられるようになっており、
前記回転部材を第２の回転位置から第１の回転位置に戻すことで前記係合体が附勢によって前記可動体と係合することを特徴とする車両用シートの回転留め装置。
【請求項２】
請求項１に記載の車両用シートの回転留め装置であって、
前記係合体は、前記回転部材が第１の回転位置にある時にその外周縁部に形成された角部が附勢によって前記可動体に形成された凹部内に入り込むことで該可動体と突き合わせ状態となって前記回転部材の第２の回転位置に向けての回転移動を阻止するようになっていることを特徴とする車両用シートの回転留め装置。
【発明の詳細な説明】
【技術分野】
【０００１】
本発明は、車両用シートの回転留め装置に関する。詳しくは、ベース側部材に対して回転可能に配設された回転部材を回転留めするための車両用シートの回転留め装置に関する。
【背景技術】
【０００２】
従来、車両用シートにおいて、シートバックの脇部にアームレスト（肘掛け）が配設されているものがある。ここで、下記特許文献１には、シートバックの片隣にアームレストが配設された技術が開示されている。この開示では、アームレストが可倒式となっており、肘掛けとして使用される使用位置と、シートバックの形状に即して起こし上げた格納位置と、の間で起倒回動させられるようになっている。そして、このアームレストの連結部には、アームレストを格納位置に固定することのできるロック装置が配設されている。このロック装置は、常時はアームレストを格納位置に固定した状態を保持するようになっているが、アームレストから引き出された操作ストラップを引張る操作によってロック状態が解除されるようになっている。
【０００３】
【特許文献１】特開２００３−９３１９５号公報
【発明の開示】
【発明が解決しようとする課題】
【０００４】
しかし、上記開示の従来技術では、アームレストを格納位置から使用位置に引き出すために、操作ストラップを引張る操作が必要であるため操作が面倒である。
【０００５】
本発明は、上記した問題を解決するものとして創案されたものであって、本発明が解決しようとする課題は、可倒式アームレスト等の回転部材を回転留めされた第１の回転位置から回転留め状態を解除して第２の回転位置まで回転移動させる操作を簡便化することにある。
【課題を解決するための手段】
【０００６】
上記課題を解決するために、本発明の車両用シートの回転留め装置は次の手段をとる。
先ず、第１の発明は、ベース側部材に対して回転可能に配設された回転部材を回転留めするための車両用シートの回転留め装置であり、可動体と係合体とバネ部材とを有する。可動体は、回転部材と回転方向に一体的とされている。係合体は、可動体との係合によって可動体を回転留めするようになっている。バネ部材は、係合体を可動体と係合させる作動方向に附勢するようになっている。係合体は、ベース側部材に回転可能に連結されている。バネ部材は、一端がベース側部材に固定され、他端が係合体に固定され、係合体の回転移動に伴う他端の配置変動によって、係合体の回転附勢方向が正逆双方向に切り換えられるようになっている。係合体は、回転部材が第１の回転位置にある時に、附勢によって可動体と係合し、回転部材の第２の回転位置に向けての回転移動を阻止するようになっている。回転部材を第１の回転位置から逆方向に回転させることで、可動体に形成された凸部が係合体を押し回してバネ部材の回転附勢方向を逆転させ、係合体が可動体との係合から外れることで回転部材の第２の回転位置への回転移動が許容される。
この第１の発明によれば、回転部材は、第１の回転位置にある状態では、係合体が附勢によって可動体と係合することで、第２の回転位置に向けての回転移動が阻止された状態となる。しかし、この状態から、回転部材を阻止された回転方向とは逆方向に回転させることにより、可動体の凸部が係合体を押し回して係合体の回転附勢方向を逆転させ、係合体を可動体との係合状態から外し出す。これにより、回転部材を第２の回転位置まで回転させることができるようになる。このように、回転対象となる回転部材を直接逆方向に回転させる動作によって、別途の操作部材の操作を伴うことなく回転留め状態を解除して第２の回転位置まで移動させることができ、かかる操作を簡便化することができる。
【０００７】
次に、第２の発明は、上述した第１の発明において、係合体は、回転部材を第２の回転位置に回転させる動きに伴って可動体に押圧されて回転し、バネ部材による回転附勢方向が可動体と係合する作動方向に切り換えられるようになっている。回転部材を第２の回転位置から第１の回転位置に戻すことで、係合体が附勢によって可動体と係合する。
この第２の発明によれば、回転部材を第２の回転位置に回転させることにより、係合体が可動体に押圧されて回転し、バネ部材による回転附勢方向が可動体と係合する作動方向に切り換えられる。そして、回転部材を第１の回転位置に戻すことにより、係合体はその附勢によって可動体と係合し、再び回転部材を回転留めした状態となる。このように、回転部材を第１の回転位置に戻す操作によって回転留めした元の状態に戻すことができ、繰り返し使用の操作性を向上させることができる。
【０００８】
次に、第３の発明は、上述した第１又は第２の発明において、係合体は、回転部材が第１の回転位置にある時に、その外周縁部に形成された角部が附勢によって可動体に形成された凹部内に入り込むことで、可動体と突き合わせ状態となって、回転部材の第２の回転位置に向けての回転移動を阻止するようになっている。
この第３の発明によれば、係合体は、その外周縁部に形成された角部を可動体の凹部内に入れ込むことで、可動体と突き合わせられた状態となるため、可動体の回転移動を強固に阻止することができる。
【発明を実施するための最良の形態】
【０００９】
以下に、本発明を実施するための最良の形態の実施例について、図面を用いて説明する。
【実施例１】
【００１０】
始めに、実施例１の車両用シートの回転留め装置（回転留め装置１０）の構成について、図１〜図５を用いて説明する。ここで、図１には、本実施例の車両用シート１の概略構成が示されている。この車両用シート１は、背凭れとなるシートバック２と、着座部となるシートクッション３と、頭受けとなるヘッドレスト４とを有する。そして、シートバック２の図示手前側のサイドには、肘掛けとして使用されるアームレスト５が配設されている。
【００１１】
ここで、シートバック２が本発明のベース側部材に相当し、アームレスト５が本発明の回転部材に相当する。このアームレスト５は、シートバック２と一体的に連結された回転軸５Ａによって、シートバック２に対して起倒回動可能な状態に連結されている。これにより、アームレスト５は、シートバック２の形状に即して起こし上げた格納位置（第１の回転位置）と、シートバック２の前方側に倒し込んだ使用位置（第２の回転位置）との間で起倒回動させられるようになっている。
【００１２】
しかし、このアームレスト５は、上述した格納された回転位置のところで、その前倒し方向の回転が回転留め装置１０によって阻止されるようになっている。これにより、アームレスト５は、その不使用時に、自重や振動等の作用によって格納位置から前倒しされないように保持されるようになっている。この回転留め装置１０による回転留め状態は、アームレスト５を格納位置から回転留めされていない後方側への回転操作を行うことで解除することができる。
【００１３】
これにより、アームレスト５を使用位置まで倒し込んで、肘掛けとしての使用ができるようになる。そして次に、アームレスト５を使用位置から格納位置まで起こし上げることにより、アームレスト５が、再び回転留め装置１０の作動によって、格納位置で回転留めされた元の状態に戻される。以下、回転留め装置１０の構成について、図２〜図５を用いて詳しく説明する。この回転留め装置１０は、図２に示されるように、フック１１と、ポール１２と、バネ部材１３とによって構成されている。ここで、フック１１が本発明の可動体に相当し、ポール１２が本発明の係合体に相当する。
【００１４】
ここで、フック１１は、アームレスト５と一体的に連結されており、シートバック２と一体的に連結された回転軸５Ａによって、シートバック２に対して回転可能に軸支連結されている。このフック１１には、その外周縁部において、半径方向内方側に窪んだ凹部１１Ａと、凹部１１Ａから段差状に立ち上がった肩部１１Ｂと、半径方向外方側に突出した凸部１１Ｃ及び頭部１１Ｄとが形成されている。このフック１１は、図３に示されるように、その頭部１１Ｄがシートバック２に結合されたストッパ１１Ｐと当接する回転位置で、図示時計回り方向の回転移動が規制されるようになっている。
【００１５】
次いで、図２に示されるように、ポール１２は、前述した回転軸５Ａと平行となるようにシートバック２と一体的に連結された回転軸１２Ａによって、シートバック２に対して回転可能に軸支連結されている。ここで、ポール１２は、その回転の中心部（回転軸１２Ａ）から半径方向外方側に延び出す第１アーム１２Ｂ及び第２アーム１２Ｃと、第１アーム１２Ｂの先端部から図示時計回り方向に突出する角部１２Ｄと、を有する形状に形成されている。このポール１２は、図２及び図３に示されるように、第１アーム１２Ｂや第２アーム１２Ｃがシートバック２に結合されたストッパ１２Ｑやストッパ１２Ｐとそれぞれ当接する回転位置で、図示時計回り方向や反時計回り方向の回転移動がそれぞれ規制されるようになっている。
【００１６】
次いで、図２に示されるように、バネ部材１３は、その一端１３Ａがシートバック２に掛着されて固定されており、他端１３Ｂがポール１２に掛着されて固定されている。このバネ部材１３は、予め捩り込まれた状態で組み付けられており、他端１３Ｂを一端１３Ａから引き離す方向に附勢力を作用させるようになっている。これにより、バネ部材１３は、その一端１３Ａとポール１２の回転中心（回転軸１２Ａの中心）とを結ぶ基準線Ｌに対して、他端１３Ｂが図示左側の領域に配置された状態時には、ポール１２を図示時計回り方向に回転附勢するようになっている。
【００１７】
しかし、バネ部材１３は、図３に示されるように、ポール１２がその附勢に抗して図示反時計回りに回転操作されて、他端１３Ｂが基準線Ｌの図示右側の領域内に配置変動することにより、ポール１２の回転附勢方向が図示反時計回りに切り換えられるようになっている。
【００１８】
したがって、上記構成の回転留め装置１０は、以下のようにしてその作動状態を変化させる。先ず、図２に示されるように、アームレスト５が格納位置（第１の回転位置）の状態にある時には、ポール１２は、バネ部材１３の附勢に伴う図示時計回り方向の回転により、角部１２Ｄをフック１１の凹部１１Ａ内に入り込ませた状態となる。これにより、フック１１は、図示反時計回り方向の回転運動に対して、肩部１１Ｂがポール１２の角部１２Ｄに突き当てられた状態となるため、同方向の回転移動が阻止された状態となる。
【００１９】
これにより、アームレスト５を格納位置から使用位置に前倒しする回転移動が阻止された状態となる。そして、この状態から、フック１１を回転が阻止されていない図示時計回り方向に回転させると、図３に示されるように、凸部１１Ｃが角部１２Ｄの傾斜面状に形成されている内側面を蹴り上げる格好で押圧する。これにより、ポール１２が図示反時計回り方向に押し回されると共に、この回転に伴うバネ部材１３の他端１３Ｂの配置変動によって、ポール１２が図示反時計回り方向に回転附勢される状態に切り換えられる。
【００２０】
これにより、ポール１２は、その附勢による反時計回り方向の回転によって、角部１２Ｄが凹部１１Ａから外し出された状態となる。そして、ポール１２は、バネ部材１３の附勢力によって、第１アーム１２Ｂがストッパ１２Ｑと当たる位置まで回転し、この回転位置状態に保持される。これにより、ポール１２は、角部１２Ｄがフック１１と干渉することのない位置まで退避移動させられた状態となる。したがって、このポール１２の姿勢変化によって、フック１１を図示反時計回り方向に回転させられるようになる。なお、フック１１は、上述した図示時計回り方向の回転移動によってポール１２を押し退けた後、頭部１１Ｄがストッパ１１Ｐと当接する回転位置で、同方向への回転移動が規制されるようになっている。
【００２１】
したがって、次に図４に示されるように、フック１１を図示反時計回り方向に回転させると、凸部１１Ｃが先ほどの回転移動によって図示上方側に揺動したポール１２の第２アーム１２Ｃを押圧し、これを図示下方側に押し下げる。これにより、ポール１２が図示時計回り方向に押し回されると共に、この回転に伴うバネ部材１３の他端１３Ｂの配置変動によって、ポール１２が図示時計回り方向に回転附勢される状態に切り換えられる。
【００２２】
これにより、ポール１２は、その附勢による時計回り方向の回転によって、角部１２Ｄをフック１１の外周面上に突き当てた姿勢状態となる。したがって、この状態から、フック１１を図示反時計回り方向に更に回転移動させることにより、フック１１の頭部１１Ｄがポール１２の第１アーム１２Ｂの先端部に突き当てられた状態となる。これにより、フック１１の同方向への回転移動が阻止された状態となる。
【００２３】
なお、ポール１２は、第１アーム１２Ｂの先端部がフック１１の頭部１１Ｄによって図示時計回り方向に押し回されても、第２アーム１２Ｃとストッパ１２Ｐとの当接によって、同方向への回転移動が確実に規制されるようになっている。これにより、アームレスト５が、使用位置に倒し込まれた回転位置で、肘掛け使用時の負荷を支えられるようになっている。そして次に、フック１１を元の回転位置に戻すために、フック１１を図示時計回り方向に回転移動させると、図５に示されるように、ポール１２の角部１２Ｄがフック１１の外周面上を摺動しながら肩部１１Ｂに乗り上げた後、附勢によって凹部１１Ａ内に入り込む。
【００２４】
このとき、角部１２Ｄがフック１１の肩部１１Ｂに乗り上げる際にポール１２が図示反時計回り方向に押し退けられる回転では、バネ部材１３の他端１３Ｂの配置変動量は僅かであり、ポール１２の回転附勢方向は図示時計回り方向のまま保たれる。したがって、図２に示されるように、フック１１を回転前の位置まで戻す操作によって、再びフック１１を回転留めした状態に戻すことができる。
【００２５】
このように、本実施例の車両用シートの回転留め装置によれば、アームレスト５は、格納位置（第１の回転位置）にある状態では、ポール１２が附勢によってフック１１と係合することで、使用位置（第２の回転位置）に向けての回転移動が阻止された状態となる。しかし、この状態から、アームレスト５を阻止された回転方向とは逆方向に回転させることにより、フック１１の凸部１１Ｃがポール１２を押し回してポール１２の回転附勢方向を逆転させ、ポール１２をフック１１との係合状態から外し出すことができる。
【００２６】
これにより、アームレスト５を使用位置まで回転させられるようになる。このように、回転対象となるアームレスト５を直接逆方向に回転させる動作によって、別途の操作部材の操作を伴うことなく回転留め状態を解除して使用位置まで移動させることができ、かかる操作を簡便化することができる。
【００２７】
また、アームレスト５を使用位置に回転させることにより、ポール１２がフック１１に押圧されて回転し、バネ部材１３による回転附勢方向がフック１１と係合する作動方向に切り換えられる。そして、アームレスト５を格納位置に戻すことにより、ポール１２はその附勢によってフック１１と係合し、再びアームレスト５を回転留めした状態となる。このように、アームレスト５を格納位置に戻す操作によって回転留めした元の状態に戻すことができ、繰り返し使用の操作性を向上させることができる。
【００２８】
また、ポール１２は、その外周縁部に形成された角部１２Ｄをフック１１の凹部１１Ａ内に入れ込むことで、フック１１と突き合わせられた状態となるため、フック１１の回転移動を強固に阻止することができる。
【００２９】
以上、本発明の実施形態を１つの実施例により説明したが、本発明は上記実施例のほか各種の形態で実施ができるものである。例えば、図６に示されるように、上記実施例で示した回転留め装置１０を車両用シート１の足乗せとして使用されるオットマン６（回転部材）の起倒構造に適用することもできる。このオットマン６は、シートクッション３の前端部分に回転軸６Ａによって起倒回動可能に連結されており、回転留め装置１０によって実線で示された使用位置で倒し込み方向の回転移動が阻止されるようになっている。そして、オットマン６は、これを使用位置から更に起こし上げる方向に回転させることにより、上述した回転留め状態が解除されてシートクッション３の前面部の位置まで倒し込めるようになっている。
【００３０】
また、図７に示されるように、回転留め装置１０を車両用シート１のシートバック２の背後側に配設されるテーブル７（回転部材）の起倒構造にも適用することができる。このテーブル７は、シートバック２の背面部に回転軸７Ａによって起倒回動可能に連結されており、回転留め装置１０によって破線で示された格納位置で倒し込み方向の回転移動が阻止されるようになっている。そして、テーブル７は、これを格納位置からシートバック２の背面部に押し込む方向に回転させることにより、上述した回転留め状態が解除されてシートバック２の後方側の使用位置に倒し込めるようになっている。
【００３１】
また、図８に示されるように、回転留め装置１０を車両用シート１のヘッドレスト４（回転部材）の起倒構造にも適用することができる。このヘッドレスト４は、シートバック２の上面部に回転軸４Ａによって起倒回動可能に連結されており、回転留め装置１０によって実線で示された使用位置で倒し込み方向の回転移動が阻止されるようになっている。そして、ヘッドレスト４は、これを使用位置から前方側に回転させることにより、上述した回転留め状態が解除されてシートバック２の後方側の位置に倒し込めるようになっている。
【００３２】
また、上記実施例で示したアームレスト等の回転部材に対して、第１の回転位置から第２の回転位置に向けて回転附勢するバネ部材を設けてもよい。これにより、アームレスト等の回転部材を第１の回転位置から逆方向に回転させて回転留め状態を解除することによって、回転部材を附勢によって第２の回転位置に回転させられるようになり、回転移動させる操作をより簡便にすることができる。
【００３３】
また、係合体を回転附勢するバネ部材として、他端を一端に引き寄せる方向にバネ力を作用させるタイプのものを用いてもよい。但しこの場合には、上記実施例で示した構成とはバネ部材の附勢方向が逆転することとなるため、配置に注意が必要である。
【図面の簡単な説明】
【００３４】
【図１】実施例１の車両用シートの回転留め装置の概略構成を表した側面図である。
【図２】アームレストが格納位置で回転留めされた状態を表した模式図である。
【図３】アームレストの回転留め状態が解除された状態を表した模式図である。
【図４】アームレストを使用位置に倒し込んだ状態を表した模式図である。
【図５】アームレストを格納位置に起こし上げていく途中の状態を表した模式図である。
【図６】回転留め装置をオットマンの起倒構造に適用した例を表した模式図である。
【図７】回転留め装置をシートバックの背後側テーブルの起倒構造に適用した例を表した模式図である。
【図８】回転留め装置をヘッドレストの起倒構造に適用した例を表した模式図である。
【符号の説明】
【００３５】
１      車両用シート
２      シートバック（ベース側部材）
３      シートクッション
４      ヘッドレスト（回転部材）
４Ａ    回転軸
５      アームレスト（回転部材）
５Ａ    回転軸
６      オットマン（回転部材）
６Ａ    回転軸
７      テーブル（回転部材）
７Ａ    回転軸
１０    回転留め装置
１１    フック（可動体）
１１Ａ  凹部
１１Ｂ  肩部
１１Ｃ  凸部
１１Ｄ  頭部
１１Ｐ  ストッパ
１２    ポール（係合体）
１２Ａ  回転軸
１２Ｂ  第１アーム
１２Ｃ  第２アーム
１２Ｄ  角部
１２Ｐ  ストッパ
１２Ｑ  ストッパ
１３    バネ部材
１３Ａ  一端
１３Ｂ  他端
Ｌ      基準線
【図１】
0005256698.tif 000002
【図２】
0005256698.tif 000003
【図３】
0005256698.tif 000004
【図４】
0005256698.tif 000005
【図５】
0005256698.tif 000006
【図６】
0005256698.tif 000007
【図７】
0005256698.tif 000008
【図８】
0005256698.tif 000009